(57)【要約】  【課題】ゲインレベル測定時の表示画面上における目標カーブと測定結果との比較分析作業を良好にする。  【解決手段】音源からの所定音声信号を収音するマイクロホン２と、マイクロホン２にて収音された所定音声信号のゲインレベルを計測するＤＳＰ８とを備え、ＤＳＰ８に係わる起動開始時間を任意に設定する操作部４及び操作部４にて設定された起動開始時間経過後にＤＳＰ８を起動させるマイコンとを有する。【選択図】図２
2006308590.tif 000002
【特許請求の範囲】
【請求項１】
音源からの所定音声信号を収音する収音手段と、当該収音手段にて収音された所定音声信号のゲインレベルを計測するゲイン計測手段とを有するオーディオ装置のゲイン測定装置であって、
前記ゲイン計測手段に係わる起動開始時間を任意に設定する設定手段と、
当該設定手段にて設定された起動開始時間経過後に前記ゲイン計測手段を起動させる制御手段とを有することを特徴とするオーディオ装置のゲイン測定装置。
【請求項２】
前記設定手段は、当該作動中の収音手段及びゲイン計測手段を停止させる停止時間を任意に設定する機能を有し、
前記制御手段は、前記設定手段にて設定された停止時間経過後に当該作動中のゲイン計測手段を停止させることを特徴とする請求項１記載のオーディオ装置のゲイン測定装置。
【請求項３】
前記制御手段は、前記設定手段にて設定された時間の経過状態を表示手段に表示させることを特徴とする請求項１又は２記載のオーディオ装置のゲイン測定装置。
【請求項４】
前記制御手段は、前記設定手段にて設定された時間の経過状態に応じて表示手段の表示を変化させることを特徴とする請求項１、２又は３記載のオーディオ装置のゲイン測定装置。
【発明の詳細な説明】
【技術分野】
【０００１】
本発明は、例えば車室等の閉空間におけるスイープ信号等の所定音声信号をマイクロホンにて収音し、当該収音された所定音声信号の各周波数帯域におけるゲインレベルを測定するオーディオ装置のゲイン測定装置に関する。
【背景技術】
【０００２】
近年、コンパクトディスクやテープ等の記録媒体、その他の音源から得られる音声信号に対して、パラメトリックイコライザを用いて特定の周波数帯域を強調する音質補正を施したり、デジタルシグナルプロセッサ（以下、単にＤＳＰと称する）を用いて音場補正を施すような、音響補正を施すオーディオ装置の調整システムは広く普及している。
【０００３】
例えば車載用のオーディオ装置においては、車室の広さや形状あるいはシートの材質、さらに車内の内装等が車によって異なっているので、音響環境も同一でなくなる。すなわち、同一の音響補正の操作設定を行ったとしても、同一の音響効果が得られるとは限らない。
【０００４】
そこで、各車室内、すなわち各音響環境に対応した良好な音響効果を得るためには、当該車室内に設置されたオーディオ装置のスピーカから出力される音声信号のゲインレベルを測定するゲイン測定装置が必要となる。
【０００５】
このようなゲイン測定装置においては、従来、パソコンやアナライザ等からなるオーディオアナライザを利用した大がかりなシステムが使用されており、当該オーディオアナライザにおいては、各周波数帯域のゲインレベルを調整するために必要なスイープ信号やスピーカの位相を判定するための短形波のテスト信号等の所定音声信号を発生する信号発生回路が組み込まれている。
【０００６】
当該ゲイン測定装置においては、当該車のドア及び窓を閉めることにより外部から閉塞された車室内の例えばヘッドレスト等に、マイクロホンを設置すると共に、車室外に前記オーディオアナライザを設置する。尚、当該オーディオアナライザには、車室内のオーディオ装置及び前記マイクロホンが接続された状態である。
【０００７】
当該ゲイン測定装置によれば、当該オーディオアナライザの信号発生回路から前記オーディオ装置及びスピーカを介してスイープ信号を音声出力し、当該スピーカより音声出力されたスイープ信号を前記マイクロホンにて収音し、当該収音されたスイープ信号をオーディオアナライザに供給する。
【０００８】
当該オーディオアナライザは、当該収音されたスイープ信号を解析することにより、当該車室内におけるスイープ信号の各周波数帯域におけるゲインレベルを棒グラフ状にして当該パソコンの画面上に表示する。
【０００９】
従って、このようなゲイン測定装置によれば、車室内における音声信号の各周波数帯域におけるゲインレベルを正確に測定することができ、延いては当該測定結果に基づいて当該オーディオ装置の音響補正を調整することにより、当該オーディオ装置のユーザーに各車室空間に応じた良好な音響効果を提供することができる。
【発明の開示】
【発明が解決しようとする課題】
【００１０】
しかしながら、上記従来のオーディオ装置のゲイン測定装置によれば、パソコンやアナライザといったオーディオアナライザ等から成るおおがかりなシステム構成となっているために、その製造コストは非常に高く、しかも搬出入の点で非常に作業性が良くないといえる。
【００１１】
そこで、このような点に着目すると、低コストで、コンパクトな作業性に優れた図１に示すような携帯型のゲイン測定装置が考えられる。
【００１２】
このような携帯型のゲイン測定装置によれば、その低コスト及び小型化に伴ってスイープ信号等を発生する信号発生回路を内蔵することは困難であるために、市販のスイープ信号用ディスクを車室内のオーディオ装置に再生させることにより、スイープ信号を得ることが考えられる。尚、前記オーディオアナライザから成るゲイン測定装置においては、内部にスイープ信号を発生する信号発生回路が内蔵されているので、発生させる周波数と測定値として取り込む周波数との同期を容易に取ることができる。
【００１３】
しかしながら、前記携帯型のゲイン測定装置によれば、外部音源であるオーディオ装置にて市販のスイープ信号用ディスクを再生することによりスイープ信号が出力されるために、測定装置側でデータを取り込む帯域とスイープ音源の周波数との同期をとることが難しく、測定装置側で所定のタイミングでデータ取り込み帯域をスイープさせた場合、スイープ信号の周波数帯域における測定対象周波数領域中にて未測定周波数帯域が発生し、延いては閉空間でのスイープ信号の各周波数帯域におけるゲインレベルを正確に測定することができないものであるといえる。
【００１４】
そこで、前記オーディオアナライザからなるゲイン測定装置においては、当該測定装置に係わるマイクロホンを車室内に配置し、当該車室外において当該装置を設置するため、ユーザーは当該測定の設定、測定の開始、終了を車室外にて手元で行うことができるようにすることが考えられる。
【００１５】
しかしながら、上記のような携帯型のゲイン測定装置によれば、マイクロホンが当該測定装置と一体となっているために、当該測定装置を車室内に配置して、当該ゲイン測定を開始してからドアを閉めたり、又は測定途中にドアを開けてしまうことにより、測定精度が著しく損なわれるといった問題がある。
【００１６】
そこで、本発明は、上記未解決課題に鑑みてなされたものであり、その目的とするところは、ゲインレベルの測定精度を良好にすることができるオーディオ装置のゲイン測定装置を提供することにある。
【課題を解決するための手段】
【００１７】
また、上記目的を達成するために、第１の発明におけるオーディオ装置のゲイン測定装置は、音源からの所定音声信号を収音する収音手段と、当該収音手段にて収音された所定音声信号のゲインレベルを計測するゲイン計測手段とを有するオーディオ装置のゲイン測定装置であって、前記ゲイン計測手段に係わる起動開始時間を任意に設定する設定手段と、当該設定手段にて設定された起動開始時間経過後に前記ゲイン計測手段を起動させる制御手段とを有することを特徴とする。
【００１８】
従って、第１の発明におけるオーディオ装置のゲイン測定装置によれば、前記収音手段であるマイクロホン及び前記ゲイン計測手段によるスイープ信号の各周波数帯域におけるゲインレベルの測定開始に係わる起動開始時間、つまり当該測定装置を車室内に配置してからドアを閉めて測定を開始するまでに要すると見込まれる時間を前記設定手段にて任意に設定し、当該設定された起動開始時間経過後に当該ゲインレベルの測定を開始するようにしたので、当該マイクロホンと当該ゲイン測定装置とが一体になったとしても、当該測定開始時におけるユーザーの測定準備を整えることができ、延いてはゲインレベルの測定精度を大幅に向上させることができる。
【００１９】
また、上記目的を達成するために、第２の発明におけるオーディオ装置のゲイン測定装置は、上記第１の発明におけるオーディオ装置のゲイン測定装置の構成に加え、前記設定手段が、当該作動中のゲイン計測手段を停止させる停止時間を任意に設定する機能を有し、前記制御手段は、前記設定手段にて設定された停止時間経過後に当該作動中のゲイン計測手段を停止させることを特徴とする。
【００２０】
尚、この場合に前記設定手段にて設定される停止時間は、通常、当該測定作業が完了するまでに要すると見込まれる時間である。
【００２１】
従って、上記第２の発明におけるオーディオ装置のゲイン測定装置によれば、当該測定作業の停止に係わる測定停止時間を前記設定手段にて任意に設定し、当該設定された測定停止時間経過後に当該ゲインレベルの測定を停止するようにしたので、ユーザーは当該測定停止時間が経過するまで待機することにより、測定途中にてドアを開けてしまうといった事態を確実に防止し、延いては当該ゲインレベルの測定精度を大幅に向上させることができる。
【００２２】
また、上記目的を達成するために、第３の発明におけるオーディオ装置のゲイン測定装置は、上記第１又は第２の発明におけるオーディオ装置のゲイン測定装置の構成に加え、前記制御手段が、前記設定手段にて設定された時間の経過状態を表示手段に表示させることを特徴とする。
【００２３】
尚、当該表示手段に表示される設定時間の経過状態とは、例えばＬＣＤ等の表示器によるタイマー表示にて行うものとする。
【００２４】
従って、上記第３の発明におけるオーディオ装置のゲイン測定装置によれば、当該測定作業に係わる測定開始時間及び停止時間を当該ＬＣＤ等の表示手段に表示させるようにしたので、ユーザーは当該表示手段に表示中の表示内容に基づいて、車室外の窓越しにて設定時間の経過状況を認識することができ、しかも当該測定作業に係わる開始準備及び終了準備を整えることができる。
【００２５】
また、上記目的を達成するために、本発明の第４の発明におけるオーディオ装置のゲイン測定装置は、上記第１、第２又は第３の発明におけるオーディオ装置のゲイン測定装置の構成に加え、前記制御手段が、前記設定手段にて設定された時間の経過状態に応じて表示手段の表示を変化させることを特徴とする。
【００２６】
尚、当該表示手段は、ＬＣＤ等の表示器に加え、ＬＥＤ等を有するものとする。
【００２７】
従って、上記第４の発明におけるオーディオ装置のゲイン測定装置によれば、当該ＬＣＤ表示器のタイマー表示に加え、ＬＥＤ等の点滅ピッチを当該設定された時間経過に応じて変化させるようにしたので、ユーザーは当該設定された時間の経過状況をより一層認識することができる。
【発明の効果】
【００２８】
本発明におけるオーディオ装置のゲイン測定装置によれば、収音手段であるマイクロホン及びゲイン計測手段によるスイープ信号の各周波数帯域におけるゲインレベルの測定開始に係わる起動開始時間、つまり測定装置を車室内に配置してからドアを閉めて測定を開始するまでに要すると見込まれる時間を設定手段にて任意に設定し、当該設定された起動開始時間経過後に当該ゲインレベルの測定を開始するようにしたので、当該マイクロホンと当該ゲイン測定装置とが一体になったとしても、当該測定開始時におけるユーザーの測定準備を整えることができ、延いてはゲインレベルの測定精度を大幅に向上させることができる。
【発明を実施するための最良の形態】
【００２９】
以下、図面に基づいて本発明のオーディオ装置のゲイン測定装置の実施形態について説明する。図１は本発明のオーディオ装置のゲイン測定装置の実施形態を示す斜視図である。
【００３０】
図１において当該ゲイン測定装置１は、従来技術にて説明したシステムに比べ、非常に小型で携帯性の優れた装置であり、その上部先端には当該装置本体と一体であるマイクロホン２が、その近傍には外部マイクロホン３と接続可能な図示せぬ接続部が設けられている。
【００３１】
また、当該ゲイン測定装置１の上面部には、当該装置に係わる様々な指令を入力する操作部４と、後述する様々な機能モードの動作状態を点灯表示するＬＥＤ５と、当該機能モード等にて得られた様々なデータを表示出力する表示部６とを有している。
【００３２】
では、当該ゲイン測定装置１の内部構成について説明する。図２は当該ゲイン測定装置１内部の概略構成を示すブロック図である。図３は当該ゲイン測定装置１における表示部６の表示状態を説明する説明図である。
【００３３】
図２においてゲイン測定装置１は、当該車室内にてオーディオ装置のスピーカから出力されるスイープ信号やテスト信号等の音声信号を収音する前記マイクロホン２と、当該マイクロホン２にて収音された音声信号をデジタル変換するＡ／Ｄコンバータ７と、当該デジタル変換された音声信号に信号処理を施すデジタルシグナルプロセッサ（以下、単にＤＳＰと称する）８と、先にも説明した操作部４、表示部６及びＬＥＤ５と、前記ＤＳＰ８にて得られたデータを記憶するＥ2 ＰＲＯＭ等のメモリ９と、当該ゲイン測定装置１全体を制御するマイコン１０とを有している。尚、前記Ａ／Ｄコンバータ７への入力信号は、前記マイクロホン２にて収音された音声信号の他に、前記外部マイクロホン３にて収音された音声信号であっても良いことはいうまでもない。
【００３４】
前記表示部６は、前記マイコン１０からの表示データに基づいて当該表示部６全体を制御する表示用マイコン６ａと、そのデータ内容を表示するＬＣＤ６ｂと、当該表示用マイコン６ａからの制御により、前記ＬＣＤ６ｂを駆動制御するドライバー６ｃとを有している。
【００３５】
尚、当該ＬＣＤ６ｂに表示される表示内容としては、図３に示すように、縦軸をゲインレベル及び横軸を周波数帯とするゲインレベル表示領域６０と、現在の機能モードを表示するモード表示領域６１と、後述するレフトキー又はライトキーにて選択された周波数帯域の周波数値及び当該周波数帯域におけるゲインレベルのレベル数値を表示する数値表示領域６２と、音圧レベル確認用のトータルレベル表示領域６３とを有している。また、前記ゲインレベル表示領域６０においては、横軸の周波数帯を３１．５Ｈｚから１６ｋＨｚまでの各周波数帯域における計２８本のゲインレベルを表示すると共に、前記トータルレベル表示領域６３においては３１．５Ｈｚから１６ｋＨｚまでの周波数帯域の中から聴感特性上、とくに聴感に影響の大きい帯域の３１５Ｈｚ，４００Ｈｚ，５００Ｈｚ，６３０Ｈｚの４バンドといった低周波数域及び高周波数域を除いた中域周波数帯域におけるゲインレベルを平均化したトータルレベルを表示するものである。
【００３６】
また、前記操作部４には、様々な機能モードを指定、起動又は終了させる実行キー４ａと、当該機能モードにより得られたデータを前記メモリ９に記憶させるメモリキー４ｂと、前記ＬＣＤ６ｂに後述する目標カーブを表示させる表示キーであるユーティリティキー（ＵＴＩＬＩＴＹキー）４ｃと、当該ＬＣＤ６ｂに表示中の目標カーブ全体を視覚上、所定デシベル値単位毎に上げるアップキー４ｄと、当該目標カーブ全体を所定デシベル値単位毎に下げるダウンキー４ｅと、前記ＬＣＤ６ｂのゲインレベル表示領域６０中の周波数帯又はトータルレベル表示領域６３を選択する際のレフトキー４ｆ及びライトキー４ｇとを有している。尚、前記所定デシベル値単位は、例えば２ｄＢとする。
【００３７】
また、前記レフトキー４ｆは前記ゲインレベル表示領域６０の下部に位置する図３に示すようにカーソルマーク５０ａを左方向に移動させ、前記ライトキー４ｇは当該カーソルマーク５０ａを右方向に移動させるキーであり、これらのキー操作に応じて該当周波数帯の下部に当該カーソルマーク５０ａを移動させ、該当周波数帯を選択するものである。
【００３８】
また、前記マイコン１０は、タイマー機能を有すると共に、その内部に内部メモリが設けられているものとする。
【００３９】
また、当該ゲイン測定装置１においては、各機能毎に設定時間を設定し、当該設定された時間経過後に当該ゲイン測定装置の電源を自動的にＯＦＦする自動電源ＯＦＦ機能を有し、前記設定時間をユーザー側の所定操作に応じて選択することができる機能を有している。
【００４０】
では、次に図３乃至図８に基づいて当該ゲイン測定装置１の動作について説明する。図４及び図５は当該ゲイン測定装置１のスイープ測定処理におけるマイコン１０の処理動作を示すフローチャートである。尚、図３は当該スイープ測定処理時において表示部６に表示された内容である。
【００４１】
当該スイープ測定処理とは、例えば車室等の閉空間におけるヘッドレスト近傍に当該ゲイン測定装置１を配置し、当該車室内に設置されたオーディオ装置にて再生されるスイープ信号用ディスクからのスイープ信号、つまり当該ゲイン測定装置との同期がとれないスイープ信号を当該ゲイン測定装置１のマイクロホン２にて収音し、当該収音されたスイープ信号から当該車室内での各周波数帯域におけるゲインレベルを測定するというものである。
【００４２】
先ず、図４においてマイコン１０は、スイープ測定処理を起動させる実行キー４ａが押下されたか否かを判定する（ステップＳ１１）。当該実行キー４ａが押下されたのであれば、前記ＤＳＰ８に当該スイープ測定処理実行に係わるプログラムを送信し（ステップＳ１２）、当該ＬＥＤ５を点灯表示させ（ステップＳ１３）、スイープ測定用タイマーをセットし（ステップＳ１４）、当該マイコン１０の内部メモリ１０ａに相当する表示用メモリの内容をクリアし（ステップＳ１５）、前記オーディオ装置にて再生されたスピーカからのテストデータであるスイープ信号を当該マイクロホン２にて収音して前記ＤＳＰ８にて測定し、当該ＤＳＰ８からそのデータを受信したか否かを判定する（ステップＳ１６）。尚、ステップＳ１３におけるＬＥＤ５の点灯表示は、スイープ測定動作を開始したことをユーザーに通知するためのものである。また、ステップＳ１３におけるスイープ測定用タイマーとは前記ＤＳＰ８にて測定されるスイープ測定時間をセットするものである。
【００４３】
ステップＳ１６にて前記ＤＳＰ８から当該受信データを受信したのであれば、当該受信データであるスイープ信号の全周波数帯域のゲインレベルを算出する（ステップＳ１７）。尚、当該ゲインレベルを測定すべき全周波数帯域とは、図３に示すように３１．５Ｈｚ〜１６ｋＨｚ間における計２８本の周波数帯域に相当するものである。
【００４４】
ステップＳ１７にて全周波数帯域の各周波数帯域におけるゲインレベルを算出すると、当該算出された各周波数帯域のゲインレベルを当該マイコン１０の内部メモリ１０ａに記憶し（ステップＳ１８）、当該内部メモリ１０ａに記憶中のゲインレベルから最大のゲインレベルに相当する周波数帯域を検索し（ステップＳ１９）、図５に示すＭ１に移行する。尚、当該検索された最大ゲインレベルは、当該ＬＣＤ６ｂのゲインレベル表示領域６０内にて該当周波数帯域を図３に示すようなカーソルマーク５０ａにてユーザーに認識させると共に、最大のゲインレベルのレベル数値及び当該最大のゲインレベルに係わる周波数帯域の周波数値を前記数値表示領域６２に表示させることにより、ユーザーに認識させるものである。
【００４５】
また、ステップＳ１１にて実行キー４ａが押下されたのでなければ、当該スイープ測定処理に係わる処理動作を終了する。また、ステップＳ１６にてＤＳＰ８からデータを受信したのでなければ、つまり前記マイクロホン２にてスイープ信号が収音されたのでなければ、図５に示すＭ２に移行する。
【００４６】
図５に示すＭ１においてマイコン１０は、図４に示すステップＳ１９にて検索された周波数帯域のゲインレベルは当該マイコン１０の内部メモリ１０ａに相当する表示用メモリに記憶中のゲインレベルよりも大きいか否かを判定する（ステップＳ２１）。当該検索周波数帯域のゲインレベルが大きければ、当該表示用メモリに対して当該検索周波数帯域の大きい方のゲインレベルに書き換える（ステップＳ２２）。
【００４７】
当該書き換えられた表示用メモリの内容、つまり全周波数帯域における各ゲインレベルを棒グラフ状にして図３に示すようにＬＣＤ６ｂ上にホールド表示し（ステップＳ２３）、当該検索周波数帯域がＭａｘ値、つまり１６ｋＨｚであるか否かを判定する（ステップＳ２５）。尚、図４に示すステップＳ１９にて全周波数帯域のゲインレベルの中で最大のゲインレベルの周波数帯域を検索し、当該検索された周波数帯域よりも上の高周波数帯域のみを記憶更新の対象としたのは、最大ゲインレベルの周波数帯域よりも下の低周波数帯域をも記憶更新の対象とすると、スイープ信号からの大きな高周波数帯域により当該下の低周波数帯域のゲインレベルが影響を受けてしまうといった事態に配慮したものである。
【００４８】
ステップＳ２５にて検索周波数がＭａｘ値であれば、前記実行キー４ａが押下されたか否かを判定する（ステップＳ２６）。当該実行キー４ａが押下されたのでなければ、図４に示すステップＳ１４にてセットされたスイープ測定用タイマーがタイムアップしたか否かを判定する（ステップＳ２７）。
【００４９】
当該スイープ測定用タイマーがタイムアップしたのであれば、前記点灯中のＬＥＤ５を消灯させ（ステップＳ２８）、前記メモリキー４ｂが押下されたか否かを判定する（ステップＳ２９）。当該メモリキー４ｂが押下されたのであれば、前記ＤＳＰ８にて測定され、かつ当該マイコン１０の内部メモリ１０ａに記憶された全周波数帯域におけるゲインレベルとしての測定データを前記メモリ（Ｅ2 ＰＲＯＭ）９に記憶し（ステップＳ３０）、当該スイープ測定処理における処理動作を終了する。尚、ステップＳ３０の当該メモリ９においては最大４０個までの測定データを記憶することが可能であり、しかも、当該メモリ９に記憶された各測定データ毎にタイトル名を付すことができ、しかも当該メモリ９内にて重複するタイトル名がある場合にはエラーメッセージを前記ＬＣＤ６ｂに表示させるようにした。
【００５０】
また、ステップＳ２１にて検索周波数のゲインレベルが表示用メモリのゲインレベルよりも大きくなければ、当該内部メモリ１０ａのメモリ内容を書き換えることなく、ステップＳ２３に移行する。
【００５１】
また、ステップＳ２５にて検索周波数がＭａｘ値でなければ、当該検索周波数を＋１インクリメントし（ステップＳ３１）、ステップＳ２１に移行する。尚、ステップＳ３１にて検索周波数帯域を＋１インクリメントするのであるが、例えば検索周波数帯域が１．２５ｋＨｚであれば、次の１．６ｋＨｚへと移るものである。
【００５２】
また、ステップＳ２６にて実行キー４ａが押下されたのであれば、ステップＳ２８に移行する。また、ステップＳ２７にてスイープ測定用タイマーがタイムアップしたのでなければ、図４に示すＭ３に移行する。また、ステップＳ２９にてメモリキー４ｂが押下されたのでなければ、当該処理動作を終了する。
【００５３】
従って、図４及び図５に示す当該スイープ測定処理によれば、例えば車室等の閉空間に設置された外部音源であるオーディオ装置にて再生されるスイープ信号用ディスクからのスイープ信号をマイクロホン２にて収音し、ＤＳＰ８にて当該収音されたスイープ信号から複数の所定周波数帯域を抽出すると共に、当該抽出された各周波数帯域のゲインレベルを計測し、当該計測された各周波数帯域のゲインレベルを当該マイコン１０の内部メモリ１０ａに記憶し、全ての周波数帯域におけるゲインレベルを記憶すると、当該記憶中の全周波数帯域の中から最大のゲインレベルに相当する周波数帯域を検索し、当該検索された周波数帯域からＭａｘ値である１６ｋＨｚまでの各周波数帯域におけるゲインレベルをＬＣＤ６ｂ上にホールド表示するようにしたので、当該ゲイン測定装置１とは全く同期がとれないスイープ信号を利用したとしても、スイープ信号の周波数帯域における測定対象周波数領域中にて未測定周波数帯域を発生させることなく、延いては閉空間でのスイープ信号の各周波数帯域におけるゲインレベルを正確に測定することができる。さらに、高周波数帯域のゲインレベルの影響による低周波数帯域のゲインレベルの誤測定を確実に防止することができる。
【００５４】
また、当該スイープ測定処理によれば、図４に示すステップＳ１４にセットされたスイープ測定タイマーにて当該処理時間を管理しているために、予め当該処理時間を認識しておけば、当該スイープ測定処理中に誤ってドアを開けてしまうような事態を防止し、延いては当該スイープ測定処理により得られるゲインレベルの測定精度を大幅に向上させることができる。
【００５５】
また、当該スイープ測定処理によれば、当該スイープ測定中においてＬＥＤ５を点灯中とするようにしたので、当該車室外にいる測定者であるユーザーが当該車室内に配置されたゲイン測定装置のＬＥＤ５の点灯状態を窓越しから目視することにより、ＬＥＤ５が点灯中であれば、当該スイープ測定処理が終了していないことを、ＬＥＤ５が消灯中であれば、当該スイープ測定処理が終了していることを認識することでき、当該スイープ測定処理中のドア開閉による不備を確実に防止することができ、延いては当該スイープ測定処理により得られるゲインレベルの測定精度を大幅に向上させることができる。
【００５６】
尚、図４に示すステップＳ１４にてセットされたスイープ測定タイマーにてセットされた設定時間は、予め設定された時間であるが、ユーザー側の所定操作に応じて任意の設定時間を設定可能としても良いことはいうまでもない。
【００５７】
また、当該スイープ測定処理によれば、ステップＳ１４のスイープ測定タイマーにて当該測定処理を処理時間にて管理しているが、処理回数により管理するようにしても良い。
【００５８】
また、当該ゲイン測定装置におけるスイープ測定処理によれば、スイープ測定開始時において、例えば当該測定装置の測定者であるユーザーは車室内に当該ゲイン測定装置を配置し、当該スイープ測定処理を起動させてから当該車室内から退去しなければならず、当該測定中のドアの開閉によりゲインレベルの測定精度が損なわれるといったことも考えられる。
【００５９】
そこで、このような事態を打開すべく、ユーザーが当該車室内に当該ゲイン測定装置を配置して、当該車室内から退去した後に、自動的に当該スイープ測定処理を起動させるといった起動待機処理が考えられる。
【００６０】
では、図６に基づいて当該起動待機処理について説明する。図６は当該起動待機処理におけるマイコン１０の処理動作を示すフローチャートである。
【００６１】
当該起動待機処理とは、当該スイープ測定処理開始時において当該測定装置のユーザーによる所定操作実行後に当該車室内から退去してドアを閉めるまでに要すると見込まれる設定時間を予めセットしておき、前記所定操作による設定時間経過後に当該スイープ測定処理を起動させるようにした処理である。
【００６２】
図６においてマイコン１０は、前記操作部４にある実行キー４ａが押下されたか否かを判定する（ステップＳ４１）。当該実行キー４ａが押下されたのであれば、前述した図４に示すスイープ測定処理に係わるプログラムを前記ＤＳＰ８に送信し（ステップＳ４２）、現在待機中である旨を通知するウエイト中表示を前記ＬＣＤ６ｂに表示させ（ステップＳ４３）、第１ウエイトタイマー（以下、単に第１タイマーと称する）をセットし（ステップＳ４４）、前記ＬＥＤ５に５００ｍｓｅｃ毎の点滅動作を実行させ（ステップＳ４５）、ステップＳ４４にてセットされた第１タイマーをカウントし（ステップＳ４６）、当該第１タイマーがタイムアップしたか否かを判定する（ステップＳ４７）。尚、当該第１タイマーがタイムアップするまで当該ＬＥＤ５による５００ｍｓｅｃ毎の点滅動作を継続するものである。
【００６３】
当該第１タイマーがタイムアップしたのであれば、第２ウエイトタイマー（以下、単に第２タイマーと称する）をセットし（ステップＳ４８）、前記ＬＥＤ５に２５０ｍｓｅｃ毎の点滅動作を実行させ（ステップＳ４９）、ステップＳ４８にてセットされた第２タイマーをカウントし（ステップＳ５０）、当該第２タイマーがタイムアップしたか否かを判定する（ステップＳ５１）。尚、当該第２タイマーがタイムアップするまで当該ＬＥＤ５による２５０ｍｓｅｃ毎の点滅動作を継続するものである。
【００６４】
当該第２タイマーがタイムアップしたのであれば、当該起動待機処理を終了して、前述した図４に示すスイープ測定処理を開始する。尚、当該起動待機処理後におけるスイープ測定処理は、ステップＳ１３によるＬＥＤ５の点灯動作から開始されるものである。また、前記ＬＥＤ５の点灯状況に着目すると、起動待機処理中においては、スイープ測定処理開始前待機中を通知する５００ｍｓｅｃ点滅動作に移行した後に、当該スイープ測定処理開始目前待機中を通知する２５０ｍｓｅｃ点滅動作に移行し、当該起動待機処理後においてはスイープ測定処理開始を通知する点灯動作に移行するものである。
【００６５】
また、ステップＳ４７にて第１タイマーがタイムアップしたのでなければ、ステップＳ４５に移行する。また、ステップＳ５１にて第２タイマーがタイムアップしたのでなければ、ステップＳ４９に移行する。
【００６６】
尚、ステップＳ４４及びステップＳ４８にてセットされる第１及び第２タイマーのセット時間は、所定操作に応じてユーザー側にて任意に設定できるものである。
【００６７】
従って、当該起動待機処理によれば、前記スイープ測定処理の起動開始時間、つまり当該測定装置を車室内に配置してからドアを閉めて測定を開始するまでに要すると見込まれる時間を所定操作により任意に設定し、当該設定された起動開始時間経過後に当該スイープ測定処理を開始するようにしたので、当該マイクロホン２と当該ゲイン測定装置本体とが一体になったとしても、当該測定開始時におけるユーザーの測定準備を整えることができ、延いては前記スイープ測定処理により得られるゲインレベルの測定精度を大幅に向上させることができる。
【００６８】
また、当該起動待機処理によれば、当該起動待機処理中において、当該設定された起動開始時間の経過状態に応じてＬＥＤ５の点滅ピッチを変化させるようにしたので、ユーザーは当該点滅状態を目視することにより、当該起動開始時間の経過状況を認識することができる。
【００６９】
尚、当該起動待機処理によれば、ＬＥＤ５の点滅ピッチに応じて起動開始時間の経過状況をユーザーに認識させるようにしたが、当該ＬＣＤ６ｂに経過時間をカウント表示させるようにしても良く、この場合にはより一層の効果を上げられることはいうまでもない。
【００７０】
では、次に当該ゲイン測定装置における目標カーブ表示処理について説明する。図７は当該目標カーブ表示処理にて表示部６に表示される表示内容を示す説明図である。図８は当該目標カーブ表示処理におけるマイコン１０の処理動作を示すフローチャートである。
【００７１】
当該目標カーブ表示処理とは、当該ＬＣＤ６ｂに表示中の表示画面上にて目標カーブ５０ｂと測定結果５０ｃとを比較する際に、当該目標カーブ５０ｂ及び測定結果５０ｃ間のレベル差、すなわちデシベル値の差がかなりあったとしても、視覚上、当該目標カーブ５０ｂを上下動させる処理である。
【００７２】
尚、当該目標カーブ表示処理は、図４及び図５に示すスイープ測定処理終了後に行われるものであり、前記目標カーブ５０ｂは、図５に示すスイープ測定処理のステップＳ２９及びステップＳ３０にてメモリ（Ｅ2 ＰＲＯＭ）９に記憶保持された測定データに相当するものである。
【００７３】
図８においてマイコン１０は、前記操作部４のユーティリティキー４ｃが押下されたか否かを判定する（ステップＳ６１）。当該ユーティリティキー４ｃが押下されたのであれば、前段のスイープ測定処理により得られた測定結果５０ｃを表示中のＬＣＤ６ｂに、目標カーブ５０ｂが表示中であるか否かを判定する（ステップＳ６２）。当該ＬＣＤ６ｂにて目標カーブ５０ｂが表示中でなければ、当該ＬＣＤ６ｂに目標カーブ５０ｂを表示させ（ステップＳ６３）、当該ＬＣＤ６ｂに目標カーブ５０ｂが表示中であるか否かを判定する（ステップＳ６４）。
【００７４】
当該目標カーブ５０ｂが表示中であれば、前記操作部４のアップキー４ｄが押下されたか否かを判定する（ステップＳ６５）。当該アップキー４ｄが押下されたのであれば、当該ＬＣＤ６ｂに表示中の目標カーブ５０ｂを所定デシベル値分、例えば２ｄＢだけ上げ（ステップＳ６６）、前記操作部４のダウンキー４ｅが押下されたか否かを判定する（ステップＳ６７）。当該ダウンキー４ｅが押下されたのであれば、当該ＬＣＤ６ｂに表示中の目標カーブ５０ｂを所定デシベル値分（２ｄＢ）だけ下げ（ステップＳ６８）、前記操作部４の実行キー４ａが押下されたか否かを判定する（ステップＳ６９）。当該実行キー４ａが押下されたのであれば、当該目標カーブ表示処理を終了する。
【００７５】
尚、ステップＳ６６及びステップＳ６８による目標カーブ５０ｂの所定デシベル値分の上げ下げは、当該目標カーブ５０ｂの全帯域において行われるものである。また、例えば当該ＬＣＤ６ｂに表示中の目標カーブを４ｄＢのデシベル値分だけ下げようとする場合には、当該ダウンキー４ｅを２回だけ押下するものとする。
【００７６】
ステップＳ６１にてユーティリティキー４ｃが押下されたのでなければ、ステップＳ６４に移行する。また、ステップＳ６２にて目標カーブ５０ｂが表示中でなければ、当該ＬＣＤ６ｂに表示中の目標カーブ５０ｂを消して（ステップＳ７０）、ステップＳ６４に移行する。
【００７７】
また、ステップＳ６４にて目標カーブが表示中でなければ、又はステップＳ６７にてダウンキー４ｅが押下されたのでなければ、ステップＳ６９に移行する。また、ステップＳ６５にてアップキー４ｄが押下されたのでなければ、ステップＳ６７に移行する。また、前記実行キー４ａが押下されたのでなければ、ステップＳ６１に移行する。
【００７８】
従って、当該目標カーブ表示処理によれば、当該ＬＣＤ６ｂにて測定結果の表示中に、前記ユーティリティキー４ｃの入力を受けると、前記メモリ９に記憶された各周波数帯域におけるゲインレベルに基づいて目標カーブ５０ｂを生成し、当該生成された目標カーブ５０ｂを当該ＬＣＤ６ｂに重ね表示させ、前記アップキー４ｄ又はダウンキー４ｅの入力を受けると、当該ＬＣＤ６ｂに表示中の目標カーブ５０ｂを所定デシベル値毎に上下動させるようにしたので、当該表示中の表示画面上にて目標カーブ５０ｂと測定結果５０ｃとを比較する際に、当該目標カーブ５０ｂ及び測定結果５０ｃ間のレベル差、すなわちデシベル値の差がかなりあったとしても、視覚上、当該目標カーブ５０ｂを上下動させることにより、前記測定結果５０ｃとの比較分析作業を良好にすることができる。
【００７９】
また、当該目標カーブ表示処理によれば、前記アップキー４ｄ又はダウンキー４ｅの入力回数に基づいて当該目標カーブ５０ｂと測定結果５０ｃとの間にどのぐらいデシベル値分の差があるかを容易に認識することができる。
【００８０】
また、当該ゲイン測定装置においては、音圧レベル確認用として図７に示すトータルレベル表示領域６３にトータルレベルを表示するトータルレベル表示機能が備えられている。
【００８１】
では、当該トータルレベル表示機能について説明する。図９は当該トータルレベル表示処理におけるマイコン１０の処理動作を示すフローチャートである。
【００８２】
当該トータルレベル表示処理とは、図４及び図５のスイープ測定処理中に測定された各周波数帯域におけるゲインレベルの内、聴感特性上において影響の大きい中域周波数帯域である任意のバンドにおけるゲインレベルに基づいて平均値を算出し、当該算出された平均値をトータルレベルとして前記ＬＣＤ６ｂのトータルレベル表示領域６３に表示する処理である。
【００８３】
図９においてマイコン１０は、現在スイープ測定処理中であるか否かを判定する（ステップＳ７１）。当該スイープ測定処理中であれば、当該マイコン１０の内部メモリ１０ａ内に該当中域周波数帯域に対応するゲインレベルがあるか否かを判定する（ステップＳ７２）。尚、ここでは該当中域周波数帯域を３１５Ｈｚ，４００Ｈｚ，５００Ｈｚ，６３０Ｈｚの４バンドとする。
【００８４】
該当中域周波数帯域に対応するゲインレベルがあれば、当該ゲインレベルを当該内部メモリ１０ａ内から読み出し（ステップＳ７３）、当該読み出された４つのゲインレベルを平均化してトータルレベルを算出し（ステップＳ７４）、当該算出されたトータルレベルを前記ＬＣＤ６ｂのトータルレベル表示領域６３に表示させ（ステップＳ７５）、前記操作部４の実行キー４ａが入力されたか否かを判定する（ステップＳ７６）。当該実行キー４ａが入力されたのであれば、測定中のスイープ測定処理を終了し（ステップＳ７７）、当該トータルレベル表示処理を終了する。
【００８５】
また、ステップＳ７１にてスイープ測定処理中でなければ、当該トータルレベル表示処理を終了する。また、ステップＳ７２にて当該内部メモリ１０ａ内に該当中域周波数帯域がなければ、又はステップＳ７６にて実行キー４ａが入力されたのでなければ、ステップＳ７１に移行する。
【００８６】
従って、当該トータルレベル表示処理によれば、スイープ測定処理中に測定された周波数帯域の内、聴感特性上において影響の大きい中域周波数帯域におけるゲインレベルのみを平均化することにより得られたトータルレベルをトータルレベル表示領域６３に表示するようにしたので、ユーザーが実際に聴取したときに近いレベルとなり、延いては実際の聴感上に整合性のとれた音圧のレベル調整を正確に行うことができ、しかもゲインレベルの比較分析精度を大幅に向上させることができる。
【００８７】
また、当該ゲイン測定装置１においては、当該ＬＣＤ６ｂの表示スペースに限りがあるため、主にゲインレベル表示領域６０上の縦軸のレベル数値及び横軸の周波数値における目盛表示部分が大まかになってしまい、詳細な数値データを求めるユーザーには使い勝手が良くないといったことも考えられる。
【００８８】
そこで、このような事態を打開するために、表示スペースを有効的に利用すると共に、詳細な数値データをもユーザーが認識できる数値表示処理を当該ゲイン測定装置に備えさせた。
【００８９】
では、当該数値表示処理について説明する。図１０は当該数値表示処理におけるマイコン１０の処理動作を示すフローチャートである。図１１は当該数値表示処理における表示部６の表示内容を示す説明図である。
【００９０】
当該数値表示処理とは、測定された各周波数帯域のゲインレベルを表示するゲインレベル表示領域６０において縦軸及び横軸の目盛表示部分を表示せず、前記レフトキー４ｆ又はライトキー４ｇによりカーソルマークを画面上にて移動し、当該カーソル操作に応じて所望周波数帯域を選択し、当該選択された所望周波数帯域におけるレベル数値及び周波数値を前記ＬＣＤ６ｂの数値表示領域６２に表示させる処理である。
【００９１】
図１０においてマイコン１０は、当該ＬＣＤ６ｂのゲインレベル表示領域６０に測定結果を表示中であるか否かを判定する（ステップＳ８１）。当該ゲインレベル表示領域６０上にて測定結果が表示中であれば、前記操作部４のレフトキー４ｆが入力されたか否かを判定する（ステップＳ８２）。当該レフトキー４ｆが入力されたのであれば、図１１に示すように当該ゲインレベル表示領域６０の下部に位置するカーソルマーク５０ａを左方向に１シフト移動させ（ステップＳ８３）、当該マイコン１０の内部メモリ１０ａから当該シフト後の周波数帯域における周波数値及びレベル数値を呼び出し（ステップＳ８４）、当該呼び出された周波数値及びレベル値を前記ＬＣＤ６ｂの数値表示領域に表示させ（ステップＳ８５）、ステップＳ８１に移行する。尚、図１１に示す表示内容としては、当該カーソルマーク５０ａの位置する周波数帯域の周波数値が１．２５ｋＨｚであり、当該周波数帯域におけるゲインレベルのレベル数値が４０ｄＢであるので、前記数値表示領域６２には“１．２５ｋＨｚ”及び“４０ｄＢ”が表示されるものである。
【００９２】
また、ステップＳ８１にて測定結果を表示中でなければ、当該数値表示処理を終了する。また、ステップＳ８２にて前記レフトキー４ｆは入力されたのでなければ、前記操作部４のライトキー４ｇが入力されたか否かを判定する（ステップＳ８６）。当該ライトキー４ｇが入力されたのであれば、図１１に示すカーソルマークを右方向に１シフトさせ（ステップＳ８４）、ステップＳ８４に移行する。
【００９３】
また、ステップＳ８６にてライトキー４ｇが入力されたのでなければ、ステップＳ８１に移行する。
【００９４】
従って、当該数値表示処理によれば、当該測定された各周波数帯域におけるゲインレベルを前記ＬＣＤ６ｂに表示する際に、前記レフトキー４ｆ又はライトキー４ｇの操作により選択された周波数帯域の周波数値及び当該選択された周波数帯域に係わるゲインレベルのレベル数値のみを前記数値表示領域６２に表示させるようにしたので、つまり前記周波数帯域の周波数値及びゲインレベルのレベル数値といった全ての目盛表示を常に表示する必要はないので、当該目盛表示部分を有効的に利用することができると共に、当該測定された各周波数帯域におけるゲインレベルのレベル数値及び当該周波数帯域の周波数値における詳細な数値データをもユーザーが認識することができ、延いては当該ゲインレベルにおける比較分析精度を大幅に向上させることができる。
【００９５】
また、当該数値表示処理によれば、当該ゲインレベル表示領域６０に表示中の各周波数帯域におけるゲインレベルの中で所望の周波数帯域におけるゲインレベルを、前記レフトキー４ｆ又はライトキー４ｇの操作により表示中のカーソルマーク５０ａにて選択し、当該選択された周波数帯域の周波数値及び当該周波数帯域に係わるゲインレベルのレベル値を前記数値表示領域６２に表示するようにしたので、ユーザーは当該画面上にて選択する所望周波数帯域を認識することができ、その作業性を著しく良好にすることができる。
【００９６】
従って、当該ゲイン測定装置１によれば、上述したように当該ゲイン測定装置１と全く同期がとれないスイープ信号に対しても対応可能であり、従来の信号発生回路を内蔵したオーディオアナライザのような大掛かりなシステムとする必要性もなく、装置本体をコンパクト化することができるので、低コストで、かつ作業性に優れている。
【産業上の利用可能性】
【００９７】
本発明は、収音手段であるマイクロホン及びゲイン計測手段によるスイープ信号の各周波数帯域におけるゲインレベルの測定開始に係わる起動開始時間、つまり、当該測定装置を車室内に配置してからドアを閉めて測定を開始するまでに要すると見込まれる時間を設定手段にて任意に設定し、当該設定された起動開始時間経過後に当該ゲインレベルの測定を開始するようにしたので、当該マイクロホンと当該ゲイン測定装置とが一体になったとしても、当該測定開始時におけるユーザーの測定準備を整えることができ、延いてはゲインレベルの測定精度を大幅に向上させることができることから、例えば車室等の閉空間におけるスイープ信号等の所定音声信号をマイクロホンにて収音し、当該収音された所定音声信号の各周波数帯域におけるゲインレベルを測定するオーディオ装置のゲイン測定装置等に好適であるといえる。
【図面の簡単な説明】
【００９８】
【図１】本発明のオーディオ装置のゲイン測定装置における実施の形態を示す斜視図である。
【図２】本実施形態におけるゲイン測定装置内部の概略構成を示すブロック図である。
【図３】当該ゲイン測定装置のスイープ測定処理時の表示部に表示される表示内容を示す説明図である。
【図４】当該ゲイン測定装置のスイープ測定処理におけるマイコンの処理動作を示すフローチャートである。
【図５】当該ゲイン測定装置のスイープ測定処理におけるマイコンの処理動作を示すフローチャートである。
【図６】当該ゲイン測定装置の起動待機処理におけるマイコンの処理動作を示すフローチャートである。
【図７】当該ゲイン測定装置の目標カーブ表示処理時の表示部に表示される表示内容を示す説明図である。
【図８】当該ゲイン測定装置の目標カーブ表示処理におけるマイコンの処理動作を示すフローチャートである。
【図９】当該ゲイン測定装置のトータルレベル表示処理におけるマイコンの処理動作を示すフローチャートである。
【図１０】当該ゲイン測定装置の数値表示処理におけるマイコンの処理動作を示すフローチャートである。
【図１１】当該ゲイン測定装置の数値表示処理時の表示部に表示される表示内容を示す説明図である。
【符号の説明】
【００９９】
１  ゲイン測定装置
２  マイクロホン（収音手段）
３  外部マイクロホン（収音手段）
４  操作部（設定手段、操作手段）
４ｂ  メモリキー
４ｃ  ユーティリティキー（表示キー）
４ｄ  アップキー（上下キー）
４ｅ  ダウンキー（上下キー）
４ｆ  レフトキー（選択手段）
４ｇ  ライトキー（選択手段）
５  ＬＥＤ（表示手段）
６ｂ  ＬＣＤ（表示手段）
８  ＤＳＰ（帯域抽出手段、ゲイン計測手段）
９  メモリ（記憶手段）
１０  マイコン（レベル比較手段、対象周波数帯域検索手段、中帯域抜出手段、制御手段）
１０ａ  内部メモリ（記憶手段）
６２  数値表示領域（周波数値表示手段、レベル値表示手段）
【図１】
2006308590.tif 000003
【図２】
2006308590.tif 000004
【図３】
2006308590.tif 000005
【図４】
2006308590.tif 000006
【図５】
2006308590.tif 000007
【図６】
2006308590.tif 000008
【図７】
2006308590.tif 000009
【図８】
2006308590.tif 000010
【図９】
2006308590.tif 000011
【図１０】
2006308590.tif 000012
【図１１】
2006308590.tif 000013